(57)【要約】【課題】  複数の撮影画像に対して効率的な編集入力を行うことができる画像印刷装置を提供する。【解決手段】  撮影を行う撮影手段（カメラ１０）と、撮影手段による複数回の撮影によって得られた撮影画像を表示する第１の表示手段（タッチパネル２０）と、複数の撮影画像を同時に編集対象の画像として表示し、表示されたすべての撮影画像に対する編集入力を受け付ける第２の表示手段（タッチパネル４００）と、編集入力に基づいて、第２の表示手段に表示された撮影画像の編集を行う編集手段（タッチペン４９Ｌ，４９Ｒ）と、編集手段により編集された撮影画像を所定の印刷媒体に印刷する印刷手段（ネットワークプリンタ３５）とを備える。【選択図】図１
2013090340.tif 000002
【特許請求の範囲】
【請求項１】
撮影を行う撮影手段と、
前記撮影手段による複数回の撮影によって得られた撮影画像を表示する第１の表示手段と、
複数の前記撮影画像を同時に編集対象の画像として表示し、表示されたすべての前記撮影画像に対する編集入力を受け付ける第２の表示手段と、
前記編集入力に基づいて、前記第２の表示手段に表示された前記撮影画像の編集を行う編集手段と、
前記編集手段により編集された前記撮影画像を所定の印刷媒体に印刷する印刷手段と、
を備えていることを特徴とする画像印刷装置。
【請求項２】
前記第１の表示手段の前方の空間である撮影空間と、前記第２の表示手段の前方の空間である編集空間とが異なる位置に設けられ、
前記撮影空間における処理と、前記編集空間における処理とが並行して実行可能とされている
請求項１に記載の画像印刷装置。
【請求項３】
前記第２の表示手段の数が、前記第１の表示手段の数よりも多い
請求項１又は２に記載の画像印刷装置。
【請求項４】
前記第２の表示手段は、隣接する前記撮影画像同士が重ならないように当該撮影画像を表示する
請求項１〜３のいずれか１項に記載の画像印刷装置。
【請求項５】
前記編集手段は、複数の前記撮影画像のうちのいずれか１つ又は複数を所定倍率で拡大させる入力操作が可能である
請求項４に記載の画像印刷装置。
【請求項６】
前記第２の表示手段は、隣接する前記撮影画像同士が一部で重なるように当該撮影画像を表示する
請求項１〜３のいずれか１項に記載の画像印刷装置。
【請求項７】
前記編集手段は、最も手前に表示される前記撮影画像を順に切り替える入力操作が可能である
請求項６に記載の画像印刷装置。
【請求項８】
撮影画像に基づいて生成される合成画像を印刷する画像印刷方法であって、
利用者が複数回の撮影を行う撮影ステップと、
複数回の撮影によって得られた撮影画像を表示する第１の表示ステップと、
複数の前記撮影画像を同時に編集対象の画像として表示し、表示されたすべての前記撮影画像に対する編集入力を受け付ける第２の表示ステップと、
前記編集入力に基づいて、前記第２の表示ステップで表示された前記撮影画像の編集を行う編集ステップと、
編集された前記撮影画像を所定の印刷媒体に印刷する印刷ステップと、
を含むことを特徴とする画像印刷方法。
【請求項９】
コンピュータを、撮影画像に基づいて生成される合成画像を印刷する画像印刷装置の制御装置として機能させるためのコンピュータプログラムであって、
利用者が複数回の撮影を行う撮影ステップと、
複数回の撮影によって得られた撮影画像を表示する第１の表示ステップと、
複数の前記撮影画像を同時に編集対象の画像として表示し、表示されたすべての前記撮影画像に対する編集入力を受け付ける第２の表示ステップと、
前記編集入力に基づいて、前記第２の表示ステップで表示された前記撮影画像の編集を行う編集ステップと、
編集された前記撮影画像を所定の印刷媒体に印刷する印刷ステップと、
を含むことを特徴とするコンピュータプログラム。
【発明の詳細な説明】
【技術分野】
【０００１】
本発明は、画像印刷装置に関する。具体的には、本発明は、利用者をカメラで撮影した撮影画像に基づいて生成される合成画像を、写真シール等の製品として出力する画像印刷装置と、その装置が行う画像印刷方法と、その画像印刷装置の各工程を制御するコンピュータプログラムに関する。
【背景技術】
【０００２】
従来、利用者をカメラで撮影し、その撮影画像を写真シールや写真カードとして出力する画像印刷装置（「写真自販機」や「写真作成装置」ともいう。）が知られている。
かかる画像印刷装置としては、例えば特許文献１に記載されているように、利用者の遊戯性又は娯楽性を高めるため、予め用意された多種多様なフレーム画像やスタンプ画像を複数の撮影画像に合成したり、利用者がタッチペンで複数の撮影画像に自由に落書きを行ったりする、編集入力が可能なものがある。
【０００３】
特許文献１の画像印刷装置では、編集入力を受け付ける編集画面が、編集対象画像表示部と、編集対象画像選択部と、入力ツール選択部と、制限時間表示部とから構成され、撮影時に記録された複数の撮影画像は、編集対象画像選択部にサムネイル表示される。
また、サムネイル表示された複数の撮影画像は、そのうちの１つがタッチペンを用いて編集対象の画像（書き込みをする画像）として選択でき、選択された画像が編集対象画像表示部に拡大表示される（特許文献１の段落０１１５〜０１１８参照）。
【先行技術文献】
【特許文献】
【０００４】
【特許文献１】特開２００２−２６２１９９号公報
【発明の概要】
【発明が解決しようとする課題】
【０００５】
上記特許文献１に記載の従来の画像印刷装置では、複数の撮影画像のうちの１つを書き込み専用の編集対象画像表示部に表示させる画面構成になっているので、利用者が所望の撮影画像に編集入力を行うには、サムネイル表示された複数の撮影画像の中から編集対象の画像を１つずつ選択し、編集対象画像表示部に逐一表示させる必要がある。
このため、従来の画像印刷装置では、複数の撮影画像に対する編集入力を行うのに手間と時間がかかり、効率的な編集入力を行えないという欠点がある。
【０００６】
特に、この種の画像印刷装置では、編集入力の制限時間が画面表示されるのが通常である。このため、残り時間が少なくなると、焦った利用者が適切な編集入力を落ち着いて行うことができず、所望の出来映えの編集画像が得られなくなる可能性がある。
本発明は、かかる従来の問題点に鑑み、複数の撮影画像に対して効率的な編集入力を行うことができる画像印刷装置を提供することを目的とする。
【課題を解決するための手段】
【０００７】
（１）  本発明の画像印刷装置は、前記撮影手段による複数回の撮影によって得られた撮影画像を表示する第１の表示手段と、複数の前記撮影画像を同時に編集対象の画像として表示し、表示されたすべての前記撮影画像に対する編集入力を受け付ける第２の表示手段と、前記編集入力に基づいて、前記第２の表示手段に表示された前記撮影画像の編集を行う編集手段と、前記編集手段により編集された前記撮影画像を所定の印刷媒体に印刷する印刷手段と、を備えていることを特徴とする。
【０００８】
本発明の画像印刷装置によれば、第２の表示手段が、複数の撮影画像を同時に編集対象の画像として表示し、表示された撮影画像に対する編集入力を受け付けるので、利用者が第２の表示手段において編集対象の画像を逐一選択しなくても、複数の撮影画像に対する編集入力を行うことができる。
このため、複数の撮影画像に対して効率的な編集入力を行うことができ、上記の本発明の目的が達成される。
【０００９】
（２）  本発明の画像印刷装置において、前記第１の表示手段の前方の空間である撮影空間と、前記第２の表示手段の前方の空間である編集空間とが異なる位置に設けられ、前記撮影空間における処理と、前記編集空間における処理とが並行して実行可能とされていることが好ましい。
この場合、撮影空間と編集空間が異なる位置にあり、それらの空間における各処理が並行して実行可能となっているので、利用者の回転率を向上させることができる。
【００１０】
（３）  また、本発明の画像印刷装置において、前記第２の表示手段の数が、前記第１の表示手段の数よりも多いことが好ましい。
一般的に、撮影画像を編集する時間の方が撮影時間よりも長いため、編集用の第２の表示手段の数が撮影用の第１の表示手段より多く設けることにより、利用者の回転率を向上することができる。
【００１１】
（４）  本発明の画像印刷装置において、前記第２の表示手段は、隣接する前記撮影画像同士が重ならないように当該撮影画像を表示することが好ましい。
このようにすれば、第２の表示手段に表示されたすべての撮影画像を利用者が同時に鳥瞰できるので、例えば、気に入った撮影画像から順に重点的に編集して時間配分するというように、複数の撮影画像に対して効率的かつ計画的に編集入力を行うことができる。
【００１２】
（５）  もっとも、隣接する撮影画像同士が重ならないように当該撮影画像を表示すると、表示すべき撮影画像の数が多くなると個々の撮影画像を余り大きく表示できず、撮影画像に対して細かい編集入力が行い難くなる可能性がある。
そこで、この場合、前記編集手段は、複数の前記撮影画像のうちのいずれか１つ又は複数を所定倍率で拡大させる入力操作が可能であることが好ましい。このようにすれば、表示すべき撮影画像の数に関係なく、拡大した撮影画像に対して細かい編集入力を行うことができる。
【００１３】
（６）  本発明の画像印刷装置において、前記第２の表示手段は、隣接する前記撮影同士が一部で重なるように当該撮影画像を表示するものであってもよい。
このようにすれば、表示すべき撮影画像の枚数が比較的多い場合でも、すべての撮影画像を限られたスペースに適切な大きさで表示でき、撮影画像の枚数が多いために編集入力が行い難くなるのを防止することができる。
【００１４】
（７）  もっとも、隣接する撮影画像同士が一部重なるように当該撮影画像を表示すると、奥に隠れた撮影画像の部分に対する編集入力が行えなくなる。
そこで、この場合、前記編集手段は、最も手前に表示される前記撮影画像を順に切り替える入力操作が可能であることが好ましい。このようにすれば、奥に隠れた撮影画像を最も手前に表示させることで、当該撮影画像の全体に編集入力を行えるようになる。
【００１５】
（８）  本発明の画像印刷方法は、上述の（１）〜（７）に記載した本発明の画像印刷装置が行う方法である。このため、本発明の画像印刷方法は、本発明の画像印刷装置と同様の作用効果を奏する。
（９）  本発明のコンピュータプログラムは、上述の（１）〜（７）に記載した本発明の画像印刷装置の制御装置として機能させるためのプログラムである。このため、本発明のコンピュータプログラムは、本発明の画像印刷装置と同様の作用効果を奏する。
【発明の効果】
【００１６】
以上の通り、本発明によれば、利用者が編集対象の画像を選択しなくても、複数の撮影画像に対する編集入力を行えるので、複数の撮影画像に対して効率的な編集入力を行うことができる。
【図面の簡単な説明】
【００１７】
【図１】本発明の実施形態に係る画像印刷装置の外観図である。
【図２】撮影ユニットの正面図である。
【図３】編集ユニットの正面図である。
【図４】出力ユニットの正面図である。
【図５】撮影操作用のタッチパネルの画面構成図である。
【図６】本発明の実施形態に係る画面印刷装置の機能ブロック図である。
【図７】撮影処理の手順を示すフローチャートである。
【図８】編集処理の手順を示すフローチャートである。
【図９】編集操作用のタッチパネルの画面構成図である。
【図１０】同タッチパネルの右側の入力領域の画面構成図（拡大操作前）である。
【図１１】同タッチパネルの右側の入力領域の画面構成図（拡大操作後）である。
【図１２】同タッチパネルの変形例を示す画面構成図である。
【図１３】同タッチパネルの別の変形例を示す画面構成図である。
【発明を実施するための形態】
【００１８】
以下、添付図面を参照しつつ、本発明の実施形態について説明する。
〔全体構造〕
図１は、本発明の実施形態に係る画像印刷装置１の外観図である。具体的には、図１（ａ）は、同装置１の側面図であり、図１（ｂ）は、同装置１の平面図である。
また、図２は、撮影ユニット３の正面図であり、図３は、編集ユニット４の正面図であり、図４は、出力ユニット５の正面図であり、図５は、撮影操作用のタッチパネル２０の画面構成図である。
【００１９】
図１に示すように、本実施形態の画像印刷装置１は、利用者Ｕが入室可能な撮影室２と、利用者Ｕの撮影と背景画像や前景画像の選択を受け付け可能な撮影ユニット３とを備えている。
また、画像印刷装置１は、利用者Ｕによる落書き（描画操作）を含む編集入力を受け付けて、撮影画像に合成した画像を生成する編集ユニット４と、合成画像を出力する出力ユニット５とを備えている。
【００２０】
撮影室２は、当該撮影室２の前後方向（図１の矢印Ｘ方向）に長い直方体状のフレーム構造であり、この撮影室２の前部に撮影ユニット３が配置されている。撮影室２の左右方向（図１の矢印Ｙ方向）の両側面には、それぞれ利用者Ｕが出入りする開口部と、この開口部の一部又は全部を覆う遮光カーテン（図示せず）が設けられている。
また、撮影室２の後部には、電動ロール式のカーテン装置２５が配置されている。撮影室２内の撮影ユニット３とカーテン装置２５の間の空間（撮影操作用のタッチパネル２０の前側の空間）は、利用者Ｕの撮影を行う撮影空間を構成している。
【００２１】
編集ユニット４は、カーテン装置２５の背面に接続された、撮影室２の前後方向（図１の矢印Ｘ方向）に長い筐体を備え、この筐体の短辺方向（図１の矢印Ｙ方向）の両側に、２人組の利用者Ｕがそれぞれ一緒に編集入力を行えるタッチパネル４００が設けられている。この編集ユニット４の各タッチパネル４００の前側の空間は、利用者Ｕが編集作業を行う編集空間を構成しており、この編集空間は、カーテン装置２５を挟んで撮影空間とは異なる位置に設けられている。
【００２２】
また、後述の通り、本実施形態の画像印刷装置１では、撮影空間での処理（撮影処理）と、編集空間での処理（編集処理）を並行して実行可能となっており、編集空間での処理を受け付けるタッチパネル４００が、撮影空間での処理を受け付けるタッチパネル２０よりも多く設置されている。
このため、撮影空間と編集空間にそれぞれ入室した利用者Ｕの作業を同時並行で行わせることができ、利用者Ｕの回転率を向上させることができる。
【００２３】
〔撮影ユニットの構造〕
図１及び図２に示すように、撮影ユニット３は、利用者Ｕを撮影する撮像手段であるカメラ１０と、カメラ１０の上下両側と左右両側にそれぞれ配置された複数のストロボ１１，１２，１３Ｌ，１３Ｒ，１４と、カメラ１０の下方に配置された、利用者Ｕの操作の受け付けや撮影画像の表示などを行う撮影操作用のタッチパネル２０とを備えている。
【００２４】
カメラ１０は、例えば、ＣＣＤ（電荷結合素子）を利用してデジタル画像信号を生成するデジタルカメラよりなり、利用者Ｕの撮影によって取得したデジタル画像信号を出力する。各ストロボ１１〜１４は、カメラ１０のシャッター時に利用者Ｕに閃光を発する。
タッチパネル２０は、撮影作業の際に、利用者Ｕによる各種の操作を受け付けるための操作画面を提供する。また、タッチパネル２０は、カメラ１０が取得したデジタルの動画映像をリアルタイムで表示することもできる。
【００２５】
図５に示すように、撮影操作用のタッチパネル２０は、リアルタイムの動画映像を表示するプレビュー領域２０１と、ポーズの見本を表示するための第１表示領域２０２と、撮影によって得られた撮影画像を表示するための第２表示領域２０３とを有する。
撮影ユニット３は、パーソナルコンピュータを中心に構成された制御装置と、Ｉ／Ｏ制御装置と、編集及び印刷ユニット４，５と通信を行うためのネットワークアダプタとを内蔵している。また、撮影ユニット３には、その前面下方にコイン投入口２６（図２参照）が設けられている。
【００２６】
〔編集ユニットの構造〕
図１に示すように、本実施形態の画像印刷装置１では、例えば２人組である２組の利用者Ｕが同時に並行してプレイ可能となるように、編集ユニット４が２つのユニット４ａ，４ｂに分かれている（図１（ｂ）参照）。
図３に示すように、２つのユニット４ａ，４ｂは、互いに対面した所定高さの傾斜した作業面を有し、この作業面に、落書き領域やその落書きのためのメニュー又はツールを表示する領域を含む編集操作用のタッチパネル４００と、タッチパネル４００へのタッチ操作に使用するタッチペン４９Ｌ，４９Ｒが設けられている。
【００２７】
編集操作用のタッチパネル４００は、各ユニット４ａ，４ｂにおいてそれぞれ２人の利用者Ｕが同時に落書きを行えるように、例えば図９に示すような左右対称の画面構成となっているが、タッチパネル４００に対する編集入力の詳細については後述する。なお、本実施形態の編集操作用のタッチパネル４００は、双方のタッチペン４９Ｌ，４９Ｒによる操作位置（ペン先の接触位置）を同時に検出可能に構成されており、かつ、検出される各操作位置が、各タッチペン４９Ｌ，４９Ｒのうちのいずれの操作に対応するものであるかも検出可能となっている。
編集ユニット４についても、撮影ユニット３と同様に、例えばパーソナルコンピュータを中心に構成された制御装置と、撮影及び印刷ユニット３，５と通信を行うためのネットワークアダプとを内蔵している。
【００２８】
〔出力ユニットの構造〕
図１及び図４に示すように、出力ユニット５は、出力操作用のタッチパネル３０と、その下方に配置された非接触の通信ポート３１とを備えている。
また、通信ポート３１の下方に、非接触通信の際に必要な操作方法や効果音などを音声によって利用者Ｕに知らせるスピーカ３２と、編集ユニット４で編集操作が行われた合成画像を印刷した写真シールや写真カード等を取り出す取出口３３が設けられている。
【００２９】
上記通信ポート３１は、例えば携帯電話機等のモバイル端末の赤外線ポートと近距離でかつ非接触の通信が可能であり、この通信によって利用者Ｕのモバイル端末に編集済みの合成画像を送信することができる。
なお、通信ポート３１は、電波を使用したフェリカ（登録商標）などの非接触通信方式の通信ポートであってもよい。
【００３０】
出力操作用のタッチパネル３０は、利用者Ｕが合成画像を印刷された写真シール等をモバイル端末でも見たい場合に、上記通信機能を備えたモバイル端末に送信するのに必要な各種操作を受け付けるための、操作画面を提供する。
なお、この操作を、例えば合成画像の写真シール等が印刷されるまでの時間を利用して行うようにすれば、利用者Ｕは写真シール等が印刷されるまでの時間を持て余すことなく有効に利用することができる。ただし、出力操作用のタッチパネル３０が設けられていない装置の場合には、編集ユニット４のタッチパネル４００で画像出力のための各種の操作を行わせてもよい。この場合、モバイル端末が合成画像を取得する処理は、第２の制御部８０（図６で後述）が行う。
【００３１】
出力ユニット５についても、撮影ユニット３と同様に、パーソナルコンピュータを中心に構成された制御装置と、撮影及び編集ユニット３，４と通信を行うためのネットワークアダプタとを内蔵している。
また、出力ユニット５には、合成画像を写真シール等として印刷するためのネットワークプリンタ３５（図１（ａ）及び（ｂ）参照）も内蔵されている。
【００３２】
上記構成の画像印刷装置１において、利用者Ｕは、撮影室２で撮影を行った後、編集用のいずれか一方のユニット４ａ，４ｂのタッチパネル４００を使用して、撮影画像に対して落書き等の編集入力を行う。
その後、利用者Ｕは、編集入力に応じて生成された合成画像のデータを、ネットワークプリンタ３５に印刷させてプリントシートとして受領したり、非接触通信によって利用者Ｕのモバイル端末に転送したりすることができる。
【００３３】
なお、ネットワーク（ＬＡＮ）６がインターネット等の公衆通信回線に接続されている場合には、本実施形態の画像印刷装置１で生成した合成画像を、公衆通信回線を介してサーバコンピュータに送信し、このサーバコンピュータにて利用者Ｕのフォルダごとに合成画像を記憶することにしてもよい。
この場合、利用者Ｕは、画像印刷装置１に対するプレイ後に、自身の携帯電話機やスマートフォンなどのモバイル端末からサーバコンピュータにアクセスすることにより、作製した合成画像の閲覧やダウンロードを行うことができる。
【００３４】
〔画像印刷装置の機能的構成〕
図６は、本実施形態に係る画像印刷装置１を機能面から見た場合の構成を示す、機能ブロック図である。
図６に示すように、画像印刷装置１は、機能的には、利用者Ｕを撮影する処理（撮影処理）を行うための撮影処理部７と、編集対象の画像に対する利用者Ｕの操作に応じて画像処理を行うための編集処理部８と、編集が行われた後の合成画像を写真シール等として印刷したり、非接触通信で転送したりする出力処理を行うための出力処理部９とを備える。
【００３５】
撮影処理部７は、第１の制御部７０と、撮像部７１と、第１の表示・操作部７２と、Ｉ／Ｏ制御部７３と、照明部７４と、第１の通信部７５とから構成されている。
編集処理部８は、第２の制御部８０と、第２の表示・操作部８１，８２と、第２の通信部８３とから構成されている。
出力処理部９は、第３の制御部９０と、第３の表示・操作部９１と、印刷出力部９２と、音声出力部９３と、非接触通信部９４と、第３の通信部９５とから構成されている。
【００３６】
ネットワークアダプタよりなる第１、第２及び第３の通信部７５，８３，９５は、ＬＡＮ（Local Area Network）であるネットワーク６を介してそれぞれ相互に通信可能となっている。
【００３７】
撮像部７１は、ＣＣＤ等の撮像素子を内蔵したカメラ１０に相当する。撮像部７１は、映像データをリアルタイムに取り込んで第１の制御部７０に出力する。第１の制御部７０は、シャッター動作の時点の映像データ（静止画データ）を撮影画像とし、内部のメモリに一時的に記憶する。
また、第１の制御部７０は、撮像部７１から得られる映像データを、第１の表示・操作部７２に常時供給する。これにより、利用者Ｕの現況がリアルタイムに表示される。
【００３８】
第１の表示・操作部７２は、撮影操作用のタッチパネル２０に相当する。第１の表示・操作部７２は、撮影画像に合成する背景画像又は前景画像を選択する操作やシャッター操作、撮影画像の画質を選択する操作などの撮影に関する操作の入力を受け付け、入力された操作信号を第１の制御部７０に送る。
第１の制御部７０は、第１の表示・操作部７２からの操作信号に基づいて、その操作信号に対応する所定の処理を実行する。
【００３９】
例えば、第１の制御部７０は、シャッター操作の入力があると、数秒程度の予め決められた時間の経過後にカメラ１０をシャッター動作させるとともに、ストロボ１１〜１４を閃光させる。
照明部７４は、カメラ１０の前記ストロボ１１，１２，１３Ｌ，１３Ｒ，１４に相当する。照明部７４は、第１の制御部７０からの指示に基づいて、Ｉ／Ｏ制御部７３によって点灯／消灯および調光が制御される。
【００４０】
Ｉ／Ｏ制御部７３は、撮影ユニット３に内蔵されるＩ／Ｏ制御装置に相当する。Ｉ／Ｏ制御部７３は、第１の制御部７０からの指示に基づいて照明部７４を制御するとともに、コイン検出部（不図示）からの検出信号を第１の制御部７０へ転送する。
第１の通信部７５は、撮影ユニット３に内蔵されるネットワークアダプタに相当する。第１の通信部７５は、ネットワーク６を介したデータ送受信の際のインタフェースとして機能する。
【００４１】
第１の制御部７０は、撮影ユニット３に内蔵された、ＣＰＵ、メモリ、フレームバッファ、タイマー及び補助記憶装置を含むコンピュータ（制御装置）に相当する。
第１の制御部７０は、メモリに格納されたプログラムをＣＰＵが実行することで、撮影処理に関する全体の制御を行う。
例えば、第１の制御部７０は、複数の撮影画像をすべて編集対象の画像としてフレームバッファに書き込み、第１の表示・操作部７２に表示させる。
【００４２】
また、第１の制御部７０は、所定の背景画像や前景画像の選択入力があった場合は、撮影画像における利用者Ｕの像を、ユーザによって選択された背景画像や前景画像に合成した画像を生成し、その画像についても、編集対象の画像としてフレームバッファに書き込んで、第１の表示・操作部７２に表示させる。
第１の制御部７０は、フレームバッファに書き込んだ撮影画像（背景画像等が合成された画像を含む。）を、第１の通信部７５を介して、編集ユニット４に対応する第２の制御部８０に送信する。
【００４３】
第２の制御部８０は、編集ユニット４に内蔵された、ＣＰＵ、メモリ、フレームバッファ、タイマー及び補助記憶装置を含むコンピュータ（制御装置）に相当する。
第２の制御部８０は、メモリに格納されたプログラムをＣＰＵが実行することで、編集処理に関する全体の制御を行う。
例えば、第２の制御部８０は、第１の制御部７０から受信した撮影画像に対する編集処理の入力信号に基づいて、編集対象の画像（本実施形態では、撮影されたすべての撮影画像）に対する合成画像を生成する。
【００４４】
本実施形態では、撮影処理における所定の制限時間内に、利用者Ｕが任意の枚数（例えば５〜８枚）の撮影画像を撮影できたものと想定する。
生成された合成画像は利用者Ｕの指示に応じて、第２の表示・操作部８１，８２に表示される。上記のような合成画像の生成が終了すると、生成された合成画像は出力ユニット５に送信される。なお、印刷出力部９２が別の合成画像を出力中である場合には、その旨が第２の表示・操作部８１，８２に表示されるとともに、その終了を待って送信される。
【００４５】
第２の表示・操作部８１，８２は、タッチペンによる落書き等の編集入力が可能な編集操作用のタッチパネル４００に相当する。すなわち、第２の表示・操作部８１は、タッチパネル４００の左側の入力領域４０Ｌ（図９参照）に相当し、第２の表示・操作部８３は、タッチパネル４００の右側の入力領域４０Ｒ（図９参照）に相当する。
第２の通信部８３は、編集ユニット４に内蔵されるネットワークアダプタに相当する。第２の通信部８３は、ネットワーク６を介したデータ送受信の際のインタフェースとして機能する。
【００４６】
第３の制御部９０は、出力ユニット５に内蔵された、ＣＰＵ、メモリ、フレームバッファ、タイマー及び補助記憶装置を含むコンピュータ（制御装置）に相当する。
第３の制御部９０は、メモリに格納されたプログラムをＣＰＵが実行することで、出力
処理に関する全体の制御を行う。
例えば、第３の制御部９０は、第２の制御部８０から受信した合成画像のデータをメモ
リに格納する。
【００４７】
印刷出力部９２は、出力ユニット５に内蔵されるネットワークプリンタ３５に相当する。印刷出力部９２は、メモリに格納された複数枚の合成画像のデータを写真シールや写真カードとして印刷する。
印刷された写真シール等は、出力ユニット５の正面下方に設けられた取出口３３に排出される。
【００４８】
第３の表示・操作部９１は、出力操作用のタッチパネル３０に相当する。第３の制御部９０は、複数枚の合成画像のデータをサーバからダウンロードできるように、利用者Ｕの入力操作を受け付けるための操作画面を第３の表示・操作部９１に表示させる。
【００４９】
第３の制御部９０は、第３の表示・操作部９１に入力された操作信号に基づいて、利用者Ｕのモバイル端末に画像データを送信するように、非接触通信部９４に対して指示を出す。この非接触通信部９４は通信ポート３１に相当する。画像データは、非接触通信部９４から赤外線信号として利用者Ｕのモバイル端末に直接送信される。
第３の通信部９５は、出力ユニット５に内蔵されるネットワークアダプタに相当する。第３の通信部９５は、ネットワーク６を介したデータ送受信の際のインタフェースとして機能する。
【００５０】
第３の制御部９０は、編集を終えた利用者Ｕが出力操作を始めるまでの間、補助記憶装置に予め記憶されたデモ画像（デモンストレーション用の画像）を、フレームバッファに書き込むことによって第３の表示・操作部９１に表示させる。
音声出力部９３は、スピーカ３２に相当する。音声出力部９３は、第３の表示・操作部９１に表示される操作画面と連動して操作方法を利用者Ｕに説明する。また、音声出力部９３は、デモ画像に応じた楽曲を流す。なお、入力操作方法の説明や楽曲等は補助記憶装置としてのハードディスク等に予め格納されている。
【００５１】
なお、上記の各制御装置が実行する所定のプログラムは、例えば、そのプログラムを記録した記録媒体であるＤＶＤ−ＲＯＭによって提供される。
すなわち、プログラムの記録媒体としてのＤＶＤ−ＲＯＭが補助記憶装置として制御装置に内蔵されたＤＶＤ−ＲＯＭの駆動装置に装着され、そのＤＶＤ−ＲＯＭからプログラムが読み出されて補助記憶装置としてのハードディスク装置にインストールされる。プログラムは、ＤＶＤ−ＲＯＭ以外の記録媒体（ＣＤ−ＲＯＭ等）や通信回線を介して提供されてもよい。
【００５２】
なお、上記第１〜第３の制御部７０，８０，９０は、画像印刷装置１における異なる部位（撮影ユニット３など）に内蔵される異なるコンピュータを含む装置に相当するものとして説明したが、このような構成は一例であって、第１〜第３の制御部７０，８０，９０は、２つ以下または４つ以上の装置により実現されてもよい。
例えば、２つの制御部を設けておき、一方の制御部で撮影ユニット３と出力ユニット５を制御し、他方の制御部で編集ユニット４を制御することもできる。
【００５３】
このような場合には各制御部において、それぞれ実現されるべき機能に応じたプログラムが実行される。
更に、各制御部７０，８０，９０を構成する制御装置は、いずれのユニット３，４，５に内蔵されていてもよく、例えば、すべての制御装置を編集ユニット４に内蔵していてもよい。また、撮影ユニット３、編集ユニット４、および出力ユニット５は、物理的に３つに分かれているが、これを１つ又は２つのユニットとして構成することもできる。
【００５４】
〔画像印刷装置における並行処理〕
上述の通り、本実施形態の画像印刷装置１は、撮影ユニット３と編集ユニット４と出力ユニット５とを含み、撮影ユニット３では撮影処理が行われ、編集ユニット４では編集処理が行われ、出力ユニット５では出力処理が行われる。
ここで、後続の利用者Ｕが撮影ユニット３でプレイしている時には、先行の利用者Ｕは編集ユニット４でプレイでき、更に先行の利用者Ｕは出力ユニット５で合成画像を出力することができる。
【００５５】
すなわち、本実施形態の画像印刷装置１では、各ユニット３，４，５のコンピュータにより、撮影処理と編集処理と出力処理とが同時並行で行われるようになっている。以下、撮影処理と編集処理の手順について説明する。
【００５６】
〔撮影処理〕
図７は、撮影処理の手順を示すフローチャートである。
プレイが行われていない待機状態では、撮影操作用のタッチパネル２０にデモ画像が表示されている。
その後、利用者Ｕが来場して、デモ画像の表示中にコイン投入口２６にコインを投入すると、第１の制御部７０はプレイを開始する（ステップＳ１００）。
【００５７】
また、第１の制御部７０は、プレイを開始した後に、利用者Ｕによる撮影モードの選択を受け付ける（ステップＳ１１０）。
ステップＳ１１０では、例えば画質（具体的にはコントラストが高いくっきりとした画質、柔らかなふんわりとした画質、または透明感のあるクールな画質のうちのいずれか）の選択、明るさの選択、自動で撮影するか手動で撮影するかの選択、自動で撮影する場合には撮影用テーマの選択などが行われる。
【００５８】
この場合、第１の制御部７０は、予め用意された複数の撮影用テーマの中から１つ以上の撮影用テーマを利用者Ｕに選択させる画面をタッチパネル２０に表示し、利用者Ｕによる選択操作を受け付ける。
第１の制御部７０は、利用者Ｕの選択操作に基づく情報を取得し、選択された撮影用テーマに基づいて、撮影画像に合成するフレームと背景との組み合わせを決定する。手動で撮影する場合は、フレームと背景を利用者Ｕが自由に決定する。
【００５９】
その後、ステップＳ１２０に進み、利用者Ｕの撮影が行われる。この撮影により、利用者Ｕを含む静止画データである撮影画像（利用者Ｕの画像に背景やフレームが合成されたもの）が第１の制御部７０のメモリに格納される。
ステップＳ１３０では、撮影画像がタッチパネル２０に表示される。具体的には、ステップＳ１２０での撮影が行われる度に、タッチパネル２０の第２表示領域２０３に、編集対象の画像となる撮影画像が１枚ずつ順次追加されて表示される。
【００６０】
その後、ステップＳ１４０において、第１の制御部７０は、予め定められた制限時間（例えば３分）が終了したか否かを判定する。第１の制御部７０は、判定の結果、所定の制限時間が終了していれば、処理をステップＳ１５０に進め、所定の制限時間が終了していなければ、処理をステップＳ１２０に戻す。
ステップＳ１５０では、第１の制御部７０は、撮影された複数の撮影画像（第２表示領域２０３に表示された画像）を、ネットワーク６を通じて編集処理部８に送信する。
【００６１】
従って、本実施形態では、撮影処理で得られた利用者Ｕの撮影画像のデータは、すべてそのまま編集対象の画像として編集処理部８に送られる。もっとも、ステップＳ１５０において、編集対象とする画像を選択する作業を利用者Ｕに行わせてもよい。
この場合、タッチパネル２０の第２表示領域２０３に表示された撮影画像の中から、写り方が気に入った撮影画像を複数枚タッチさせて残すか、或いは逆に、撮影が失敗した撮影画像をタッチさせて消去させることにより、編集対象の画像を選択させればよい。
【００６２】
第１の制御部７０は、利用者Ｕによる上記入力により編集対象となった画像データを、ネットワーク６を通じて編集処理部８に送信する。
ステップＳ１５０の終了後、第１の制御部７０は、処理をステップＳ１６０に進めて案内画面の表示を行う。具体的には、第１の制御部７０は、編集ユニット４の２つのユニット４ａ，４ｂのうちのいずれかに利用者Ｕを誘導する画面を撮影操作用のタッチパネル２０に表示する。これにより、撮影処理が終了する。
なお、ステップＳ１６０の処理において、上記案内画面の表示に加えて、或いは、上記案内画面の表示の代わりに、２つのユニット４ａ，４ｂのいずれかに利用者Ｕを案内する音声を出力するようにしてもよい。
【００６３】
〔編集処理〕
図８は、編集処理の手順を示すフローチャートである。
図８の編集処理において、第２の制御部８０は、まず、ネットワーク６を介して第１の制御部７０が送信した編集対象の画像を取得する（ステップＳ２００）。
その後、タイマーが所定時間（利用者Ｕに編集入力を許可する時間）に設定され、カウントダウンを開始する（ステップＳ２１０）。
【００６４】
タイマーのカウントダウン開始後、第２の制御部８０は、利用者Ｕによるタッチパネル４００への落書き（描画）等の編集操作の入力を受け付ける（ステップＳ２２０）。
また、第２の制御部８０は、編集処理の残り時間が６０秒になると、編集時間を延長するか否かを判定する（ステップＳ２３０）。この判定は、編集ユニット４でプレイすべき後続の利用者Ｕが撮影ユニット３で撮影処理を行っているか否かによって行われる。
【００６５】
第２の制御部８０は、上記判定の結果が肯定的である場合は、処理をステップＳ２４０に進め、否定的である場合は、処理をステップＳ２５０に進める。
第２の制御部８０は、ステップＳ２４０では、タイマーを所定の再設定時間（利用者Ｕに追加の編集入力を許可する時間）に設定される。この場合、タイマーによるカウントダウンが再度開始され、処理がステップＳ２５０に進む。
【００６６】
ステップＳ２５０において、第２の制御部８０は、利用者Ｕによるタッチパネル４００への落書き（描画）等の編集操作の入力を受け付ける。
その後、第２の制御部８０は、タイマーの再設定時間が０になると、出力する写真の分割パターンの選択処理に移行する（ステップＳ２６０）。具体的には、第２の制御部８０は、予め用意された複数の分割パターンをタッチパネル４００に表示する。利用者Ｕが、複数の分割パターンのうちの１つを選択すると、その選択情報を取得し、処理がステップＳ２７０に進む。
【００６７】
ステップＳ２７０では、案内画面の表示が行われる。具体的には、第２の制御部８０は、利用者Ｕを出力ユニット５に導くための画面を編集操作用のタッチパネル４００に表示する。これにより、編集処理が終了する。
なお、ステップＳ２７０の処理において、上記案内画面の表示に加えて、或いは、上記案内画面の表示の代わりに、利用者Ｕを出力ユニット５のいずれかに案内する音声を出力するようにしてもよい。
【００６８】
〔編集操作用のタッチパネルの構成及び機能〕
図９は、編集操作用のタッチパネル４００の画面構成図（両側）である。また、図１０及び図１１は、同タッチパネル４００の右側の入力領域４０Ｒの画面構成図である。
図９に示すように、タッチパネル４００は、左右の２人の利用者Ｕがそれぞれペン入力可能な左右一対の２つの入力領域４０Ｌ，４０Ｒに分割されている。各入力領域４０Ｌ，４０Ｒには、それぞれ、落書き部４１、タブ４２（図１０参照）によるメニュー切り替えが可能なパレット部４３、モード選択部４４、コマンド選択部４５、タイマー表示部４６及びガイド表示部４７が配置されている。
【００６９】
以下、図１０及び図１１に示す右側の入力領域４０Ｒを例にとって、上記各部の構成及び機能を説明する。なお、左側の入力領域４０Ｌも、右側の入力領域４０Ｒと同様の構成及び機能となっている。
図１０及び図１１に示すように、落書き部４１は、入力領域４０Ｒにおける中央部から上縁部に渡る大半の部分を占めており、撮影ユニット３から取得した複数の撮影画像（撮影処理部７から受信した画像データ）Ｐ１〜Ｐ８が、隣接する画像同士が重ならないようにほぼ均等の大きさで表示される。
【００７０】
なお、図例では８枚の撮影画像Ｐ１〜Ｐ８を記載しているが、その枚数は、予め設定された制限枚数（例えば８枚）以下に表示させることにしてもよい。
すなわち、落書き部４１には、撮影処理部７から受信した制限枚数以下の枚数の撮影画像が、そのまま落書き部４１に表示される。従って、利用者Ｕが、撮影処理において１枚しか撮影画像Ｐ１を選択しなかった場合には、当該撮影画像Ｐ１だけが落書き部４１に表示される。
【００７１】
本実施形態の落書き部４１では、その落書き部４１内に表示された複数の撮影画像Ｐ１〜Ｐ８に対して、タッチペン４９Ｒによる落書き入力や画像の貼り付けなどの編集入力を同時に受け付けるようになっている。
従って、例えば図１０に示すように、利用者Ｕは、タッチペン４９Ｒで撮影画像Ｐ１に落書き入力（図例では「Ｌｏｖｅｌｙ」の文字列）を行ったあと、編集対象とする画像を選択するための作業を要することなく、他の撮影画像Ｐ２に対する落書き入力（図例では「Ｃｕｔｅ」の文字列）を即座に行うことができる。
【００７２】
また、各撮影画像Ｐ１〜Ｐ８の左上部には、対応する撮影画像Ｐ１〜Ｐ８を落書き部４１の中央部に拡大して表示させるための拡大ボタン４８が表示されている。
このため、例えば、図１０の撮影画像Ｐ３の拡大ボタン４８を利用者Ｕがタッチすると、図１１に示すように、撮影画像Ｐ３が、他の撮影画像Ｐ２〜Ｐ７よりも手前になるように、落書き部４１の中央部に所定倍率で拡大される。
【００７３】
この場合、図１１に示すように、拡大後の撮影画像Ｐ３に対しても、タッチペン４９Ｒによる落書き入力の他、画像の貼り付けなどの編集入力を行うことができるとともに、拡大されずにそのまま落書き部４１に表示されている他の撮影画像Ｐ１，Ｐ２，Ｐ４〜Ｐ８に対しても、同時に編集入力を行うことができる。
また、拡大後の撮影画像Ｐ３には、その撮影画像Ｐ３を元の大きさに縮小するための縮小ボタン５０が付随して表示され、この縮小ボタン５０をタッチすると、撮影画像Ｐ３は元の大きさ及び位置に戻るようになっている。なお、図１１では、一例として、撮影画像
Ｐ３を拡大した状態を示しているが、他の撮影画像Ｐ１，Ｐ２，Ｐ４〜Ｐ８についても、上記の拡大及び縮小の操作が可能であることは言うまでもない。
【００７４】
パレット部４３の内部には、複数種類のスタンプ画像やフレーム画像などの撮影画像Ｐ１〜Ｐ８に対して合成可能な貼り付け画像が多数表示されている。
利用者Ｕは、所望の貼り付け画像をペン先でタッチしてから、その画像を貼り付ける撮影画像Ｐ１〜Ｐ８の所定位置にペン先をタッチすることにより、所定の撮影画像Ｐ１〜Ｐ８に貼り付け画像を合成することができる。
【００７５】
なお、撮影画像Ｐ１〜Ｐ８の表示サイズに適した画素数の貼り付け画像を用意しておけば、拡大後の大きさ或いは元の大きさの撮影画像Ｐ１〜Ｐ８のどちらに貼り付け画像を貼り付けたとしても、見栄えの良い合成画像を得ることができる。この場合、貼り付け画像の画素数の値は、撮影画像のＰ１〜Ｐ８の表示サイズに応じて変換されてもよいし、表示サイズに応じた画素数のものを予め用意しておいても良い。
【００７６】
パレット部４３のタブ４２には、「ネオン」、「ハート」、「星・キラリ」などの利用者Ｕの嗜好に沿った複数のアイテムがある。
従って、利用者Ｕが所望のアイテムをペン先でタッチすると、パレット部４３の内部に配列される貼り付け画像の種類が、当該アイテムの趣旨に沿って予め収集された貼り付け画像に切り替わるようになっている。
【００７７】
モード選択部４４には、複数種類のモード選択ボタンが配列されており、本実施形態では、「ペン」、「スタンプ」、「もじ」、「オススメ」及び「カラー」のモード選択ボタンが用意されている。
このうち、例えば、「ペン」の選択ボタンは、タッチペン４９Ｒで描画する線の種類をパレット部４３に表示させるボタンであり、「スタンプ」の選択ボタンは、タッチペン４９Ｒで貼り付けるスタンプの種類をパレット部４３に表示させるボタンである。
【００７８】
コマンド選択部４５には、上から順に、「終わり」、「リセット」、複数サイズの「消しゴム」、「囲み消しゴム」（丸い矢印が記されたボタン）、「進む」及び「戻る」の各ボタンが設けられている。
このうち、「終わり」は、タッチペン４９Ｒによる編集入力を強制終了させるボタンであり、「リセット」は、１つの編集画像Ｐ１〜Ｐ８に対して行った編集入力をすべて取り消すためのボタンである。
【００７９】
「消しゴム」は、タッチペン４９Ｒによるペン入力を線消去のための消しゴム入力に変換するボタンであり、「囲み消しゴム」は、ペン先で囲んだ個所の線や合成画像を消去するボタンである。また、「戻す」は、タッチペン４９Ｒの編集入力を１つ取り消すボタンであり、「進む」は当該「戻す」処理による取り消しを戻すボタンである。これらのボタンがタッチされた場合に、落書き部４１に表示されたすべての撮影画像Ｐ１〜Ｐ８に対する編集入力を、入力された順で「進む」或いは「戻す」処理を行うようにしてもよいし、撮影画像Ｐ１〜Ｐ８ごとに「進む」或いは「戻す」処理を行うようにしてもよい。
なお、タッチパネル４００の中央上部のタイマー表示部４６は、カウントダウンされる編集作業の残り時間を表示する部分であり、入力領域４０Ｒの中央部に設けられたガイド表示部４７は、利用者Ｕに告知すべき所定の案内文を表示する部分である。
【００８０】
〔画像印刷装置の効果〕
以上の通り、本実施形態の画像印刷装置１では、編集操作用のタッチパネル４００（第２の表示・操作部８１，８２）が、複数の撮影画像Ｐ１〜Ｐ８を同時に編集対象の画像として表示し、表示されたすべての撮影画像Ｐ１〜Ｐ８に対する編集入力を受け付ける。
このため、利用者Ｕがタッチパネル４００に編集入力を行う場合に、編集対象の画像を逐一選択しなくても、複数の撮影画像Ｐ１〜Ｐ８に対する編集入力を行うことができ、複数の撮影画像Ｐ１〜Ｐ８に対して効率的な編集入力を行うことができる。
【００８１】
特に、本実施形態では、撮影ユニット３で取得したすべての撮影画像がタッチパネル４００に表示され、利用者Ｕが撮影したすべての撮影画像に編集を行えるので、撮影ユニット３では気に入らなかった撮影画像でも、改めて編集ユニット４のタッチパネル４００で見てみると、パレット部４３で選択可能なメイクアップツール等で編集すれば面白い画像になると利用者Ｕが後から気付くような場合に適切に対応でき、利用者Ｕが撮影ユニット３で撮影した撮影画像を無駄なく利用できるという利点もある。
その上、編集されたすべての撮影画像（撮影ユニット３で取得したすべての撮影画像）を印刷することができるので、多種多様の撮影画像が印刷されたシールが欲しいという、ユーザの要望に応じることができる利点もある。
【００８２】
また、本実施形態の画像印刷装置１では、編集操作用のタッチパネル４００が、隣接する撮影画像Ｐ１〜Ｐ８同士が重ならないように当該撮影画像Ｐ１〜Ｐ８を表示するので（図１０参照）、タッチパネル４００に表示されたすべての撮影画像Ｐ１〜Ｐ８を利用者Ｕが同時に鳥瞰することができる。
このため、例えば、気に入った撮影画像Ｐ１から順に重点的に編集して時間配分するというように、複数の撮影画像Ｐ１〜Ｐ８に対して効率的かつ計画的に編集入力を行えるという利点もある。
【００８３】
更に、本実施形態の画像印刷装置１では、編集操作用のタッチパネル４００に拡大ボタン４８が表示され、そのタッチパネル４００に編集入力を行うタッチペン４９Ｒにより、複数の撮影画像Ｐ１〜Ｐ８のうちのいずれか１つ又は複数を所定倍率で拡大させる入力操作が可能となっているので、いずれかの撮影画像Ｐ１〜Ｐ８を拡大させることにより、拡大した撮影画像に対して細かい編集入力を行うことができ、編集入力が行い易くなる。
【００８４】
〔第１の変形例〕
図１２は、編集操作用のタッチパネル４００の変形例を示す画面構成図である。
図１２の変形例が上述の実施形態（図１０及び図１１）と異なる点は、隣接する撮影画像Ｐ１〜Ｐ６同士が一部で重なるように、複数の撮影画像Ｐ１〜Ｐ６を落書き部４１に表示させる点にある。
【００８５】
図１２に示すように、複数の撮影画像Ｐ１〜Ｐ６を一部が重なるように表示すると、最も手前に表示される撮影画像Ｐ１以外の撮影画像Ｐ２〜Ｐ６については、重複部分に対する編集入力が行えないが、撮影画像Ｐ２〜Ｐ６の非重複部分に対しては、タッチペン４９Ｒによる編集入力を行うことができる。
【００８６】
このように、複数の撮影画像Ｐ１〜Ｐ６を重ねて表示すれば、落書き部４１に表示すべき撮影画像Ｐ１〜Ｐ６の枚数が比較的多い場合でも、すべての撮影画像Ｐ１〜Ｐ６を限られた落書き部４１のスペースに適切な大きさで表示でき、撮影画像Ｐ１〜Ｐ６の枚数が多くなることに伴って編集入力が行い難くなる不都合を回避することができる。
【００８７】
なお、図１２の落書き部４１に設けられた「進む」ホタンは、撮影画像Ｐ１〜Ｐ６を重ね合わせる順序を予め定められた一定の方向に進めるボタンである。この「進む」ボタンをタッチすると、最も手前の撮影画像Ｐ１が最後の撮影画像Ｐ１の後に回り、次の撮影画像Ｐ２が最も手前に現れる。
逆に、図１２の落書き部４１に設けられた「戻る」ホタンは、撮影画像Ｐ１〜Ｐ６を重ね合わせる順序を、「進む」ホタンとは逆の方向に戻すボタンである。
【００８８】
ここで、図１２の例では、複数の撮影画像Ｐ１〜Ｐ６が、落書き部４１の左下隅から右上隅に向かって右上がり傾斜で並ぶ場合を例示してある。
しかし、この場合、複数の撮影画像Ｐ１〜Ｐ６の傾斜方向が右上がりのままであると、正面から見て左側の利用者Ｕの場合は、撮影画像Ｐ２〜Ｐ６において顔が概ね表示されるが、右側の利用者Ｕの場合は、撮影画像Ｐ２〜Ｐ６の重複部分に顔が隠れるので、右側の利用者Ｕのための落書きが行い難くなる。
【００８９】
そこで、傾斜方向を切り替えるための操作ボタン（図示せず）を落書き部４１に設け、複数の撮影画像Ｐ１〜Ｐ６を異なる傾斜方向で並べ替え可能とすることが好ましい。
この場合、撮影画像Ｐ１〜Ｐ６が右上がり傾斜の状態で操作ボタンをタッチすると、撮影画像Ｐ１〜Ｐ６が落書き部４１の左上隅から右下隅に向かって右下がり傾斜に並べ替わり、逆に、撮影画像Ｐ１〜Ｐ６が右下がり傾斜の状態で操作ボタンをタッチすると、撮影画像Ｐ１〜Ｐ６が右上がり傾斜に並べ替わる。このため、撮影画像Ｐ２〜Ｐ６に写っている左右２人のうちのいずれか一方の者ばかりが、重複部分に顔が隠れた状態で表示されるのを防止することができる。
【００９０】
〔第２の変形例〕
図１３は、編集操作用のタッチパネル４００の別の変形例を示す画面構成図である。
図１３の変形例も、上述の第１の変形例（図１２）と同様に、隣接する撮影画像Ｐ１〜Ｐ５同士が一部で重なるように表示されているが、図１３の変形例では、落書き部４１の中央部に配置する撮影画像Ｐ３を最も手前に表示している点で、第１の変形例（図１２）の場合と相違する。
【００９１】
このように、複数の撮影画像Ｐ１〜Ｐ５を重複して表示する場合には、どの撮影画像Ｐ１〜Ｐ５を最も手前に表示するか否かは、任意に設定することにすればよい。
もっとも、図１３の変形例のように、落書き部４１の中央部に配置する撮影画像Ｐ３を最も手前に表示すれば、重複によって隠れた部分が生じない撮影画像Ｐ３に対する編集入力を容易に行えるという利点がある。なお、図１３に示す第２の変形例の場合も、傾斜方向を切り替えるための操作ボタン（図示せず）を落書き部４１に設け、複数の撮影画像Ｐ１〜Ｐ５を異なる傾斜方向で並べ替え可能に構成してもよい。
【００９２】
〔その他の変形例〕
なお、今回開示した実施形態（上述の各変形例を含む。以下、同様。）は例示であって制限的なものではない。本発明の権利範囲は、上述の実施形態ではなく、特許請求の範囲に記載した構成と均等の範囲内でのすべての変更が含まれる。
【００９３】
例えば、上述の実施形態において、１つのモニタ（タッチパネル４００）を左右２つの領域に分けないで、１つのモニタのほぼ全領域に渡って複数の撮影画像を表示し、この複数の撮影画像に対して左右双方のタッチペン４９Ｌ，４９Ｒで同時に落書きできるようにしてもよい。
このようにすれば、１つのモニタに複数の撮影画像が表示されるので、１つを分割した各領域に複数の撮影画像を表示する上述の実施形態の場合に比べて、複数の撮影画像をより大きく表示でき、各撮影画像への編集入力が行い易くなるという利点がある。
【００９４】
また、上述の実施形態では、拡大ボタン４８がペン先でタッチされると当該ボタン４８に対応する撮影画像がワンタッチで所定倍率に拡大される場合を例示したが、この所定倍率を、拡大ボタン４８がタッチされた時間長や回数等に応じて決定してもよい。縮小ボタン５０の場合も、同様にタッチされた時間長や回数等に応じて縮小倍率を決定にしてもよい。このようにすれば、利用者Ｕ自身が、撮影画像の大きさを編集入力の行い易い任意の大きさに調節することができる。
なお、図１２や図１３に示した変形例においても、上述した拡大ボタン４８や縮小ボタン５０を備えた構成としてもよいことは言うまでもない。
【００９５】
また、上述の実施形態において、左右の入力領域４０Ｌ，４０Ｒ（図９参照）のそれぞれに複数の撮影画像を表示して編集入力を行わせる場合、各々の入力領域４０Ｌ，４０Ｒに表示された撮影画像への編集入力を完全に独立して行わせることもできるし、左側の入力領域４０Ｌ（または右側の入力領域４０Ｒ）に表示された撮影画像に対する編集入力を右側の入力領域４０Ｒ（または左側の入力領域４０Ｌ）に表示された撮影画像に反映させることもできる。
なお、どのように編集入力を行うかは、ユーザの好みに応じてどちらかに選択可能であってもよいし、編集入力中に切り替え可能に構成してもよい。
【００９６】
上述の実施形態において、自身の実際の写り方を利用者Ｕに確認させるため、コントラスト等の画質を指定させた上での試験的な事前撮影を、本来の撮影プレイの前に予め利用者Ｕに行ってもらい、この事前撮影で得られた撮影画像を第１表示領域２０２に表示させてもよい。
この場合、上記事前撮影で取得した撮影画像については、編集ユニット３での編集対象から除外してもよいし、編集対象に含めることにしてもよい。
【符号の説明】
【００９７】
３    撮影ユニット
４    編集ユニット
５    出力ユニット
６    ネットワーク（ＬＡＮ）
１０    カメラ（撮影手段）
２０    撮影操作用のタッチパネル（第１の表示手段）
３０    出力操作用のタッチパネル
３５    ネットワークプリンタ（印刷手段）
３１    通信ポート
３２    スピーカ
４０Ｌ  入力領域
４０Ｒ  入力領域
４９Ｌ  タッチペン（編集手段）
４９Ｒ  タッチペン（編集手段）
４００    編集操作用のタッチパネル（第２の表示手段）
Ｐ１〜Ｐ８  撮影画像
【図１】
2013090340.tif 000003
【図２】
2013090340.tif 000004
【図３】
2013090340.tif 000005
【図４】
2013090340.tif 000006
【図５】
2013090340.tif 000007
【図６】
2013090340.tif 000008
【図７】
2013090340.tif 000009
【図８】
2013090340.tif 000010
【図９】
2013090340.tif 000011
【図１０】
2013090340.tif 000012
【図１１】
2013090340.tif 000013
【図１２】
2013090340.tif 000014
【図１３】
2013090340.tif 000015